(57)【要約】【課題】  産業コンテナへの着脱を容易にし、かつ産業コンテナを屋外に長期間放置する場合にもコンテナ内容物の品質変化を防止することができる産業コンテナ用保温カバーを提供すること。また、より低コストで産業コンテナを保温する方法を提供すること。【解決手段】  産業コンテナの上面および側面を被覆できるように構成されたシート材からなる保温カバーにおいて、その側部に下方に延びる仮想線に沿って切込み開閉部を備えたことを特徴とする、産業コンテナ用保温カバーを用いる。また、当該産業コンテナ用保温カバーでコンテナを被覆した後に、カバー内側面とコンテナ側壁面との間隙に水蒸気を供給することを特徴とする、産業コンテナの保温方法を用いる。【選択図】      なし【特許請求の範囲】
【請求項１】
産業コンテナの上面および側面を被覆できるように構成されたシート材からなる保温カバーにおいて、その側部に下方に延びる仮想線に沿って切込み開閉部を備えたことを特徴とする、産業コンテナ用保温カバー。
【請求項２】
その内側面に産業コンテナの内容物を一定温度に保つための保温手段を設けてなる、請求項１に記載の産業コンテナ用保温カバー。
【請求項３】
請求項１または２に記載の産業コンテナ用保温カバーでコンテナを被覆した後に、カバー内側面とコンテナ側壁面との間隙に水蒸気を供給することを特徴とする、産業コンテナの保温方法。
【発明の詳細な説明】
【技術分野】
【０００１】
本発明は産業コンテナ用保温カバー及び産業コンテナの保温方法に関する。
【背景技術】
【０００２】
工場で製造された樹脂や薬剤等の化学薬品（流体、粉粒体などの形態を問わない）は通常ドラム缶やフレキシブルコンテナ、直方体様の鉄製コンテナ等（以下、まとめて産業コンテナという）にて保存される。しかし、気温変化による温度変化や降水時の吸湿等により内容物の品質が変化することがある。例えば内容物が樹脂の場合には寒冷時にその粘度が著しく増大してしまい、取り出しが困難になることがある。また内容物が重合性モノマーなどの反応性の高い薬品の場合には高温下で自己重合するおそれがあり、また安定性が低い薬剤などは分解することもある。また、産業コンテナを屋外に放置する際には産業コンテナの内容物が吸水・吸湿して品質が低下することもある。そのため、気温変化や降水から産業コンテナの内容物の品質を一定に保つ必要がある。
【０００３】
そのための手段としては産業コンテナを防水性・断熱性のシート材で覆う方法が考えられる。しかし、単に平面状のシート材を産業コンテナに被覆するだけでは隙間が多くなるため保温の点で効率が悪い。そこで、例えば特許文献１に記載されるようにシート材を産業コンテナの形状に沿って有蓋筒状（下端は開放）に形成し、コンテナの上面および側面を完全に被覆することが考えられる。
【０００４】
しかし、保温効果を維持するためにシート材を産業コンテナと相似形に形成すると着脱が容易でなくなる。被着対象がドラム缶のような比較的小さなものであればよいが、例えば一片が２〜３メートルもあるような直方体の鉄製コンテナを被うにはコンテナ上部にカバーを引き上げた後にコンテナの角部や縁部におけるカバーの引っ掛かりを正し、いちいち移動して皺を伸ばす必要がある。そのためこの作業は多くの人手を必要とする上、特に夏場には作業員に大きな肉体的疲労を与える。
【０００５】
また、そのような筒状カバーで産業コンテナを被覆しても屋外に長期間放置する場合には外気温度変化によるコンテナ内容物への影響（品質変化）は避けがたい。
【０００６】
【特許文献１】登録実用新案公報第３０１９１８０号
【発明の開示】
【発明が解決しようとする課題】
【０００７】
本発明は上記課題を解決するものであり、産業コンテナへの着脱を容易にし、かつ産業コンテナを屋外に長期間放置する場合にもコンテナ内容物の品質変化を防止することができる産業コンテナ用保温カバーを提供することを目的とする。また、より低コストで産業コンテナを保温する方法を提供することを目的とする。
【課題を解決するための手段】
【０００８】
本発明者はかかる目的を解決するために鋭意検討した結果、産業コンテナを被覆する保温カバーの側部に下方に延びる仮想線に沿った切込み状の開閉部を設けることで、カバーの着脱作業が容易になることを見出した。また、そのようなカバーの内側面に各種保温手段を設けることで、長期に亘り産業コンテナを屋外に放置しても気温変化による内容物の品質変化を防止できることを見出した。また、このような保温手段を設けなくとも、カバー内側面とコンテナ側壁面との間隙に温度調整した水蒸気を供給してコンテナ全体を蒸気で包み込むことで、より低コストで同様の効果が得られることを見出した。
【０００９】
本発明は上記の知見に基づき完成したものである。すなわち本発明は、産業コンテナの上面および側面を被覆できるように構成されたシート材からなる保温カバーにおいて、その側部に下方に延びる仮想線に沿って切込み開閉部を備えたことを特徴とする、産業コンテナ用保温カバーに関する（請求項１）。また、その内側面に産業コンテナの内容物を一定温度に保つための保温手段を設けてなる産業コンテナ用保温カバーに関する（請求項２）。また、これらの産業コンテナ用保温カバーでコンテナを被覆した後に、カバー内側面とコンテナ側壁面との間隙に水蒸気を供給することを特徴とする、産業コンテナの保温方法に関する（請求項３）。
【発明の効果】
【００１０】
請求項１に係る産業コンテナ用保温カバーによれば、カバー側部（側面部あるいは側縁部）に切込み開閉部を設けたことにより、産業コンテナへのカバー着脱作業が大変容易となる。また、請求項２に係る産業コンテナ用保温カバーによれば、カバー内側面に各種保温手段を備えたことにより、産業コンテナを屋外に長期間放置しても気温変化によるコンテナ内容物の品質変化を抑えることができる。また、請求項３に係る産業コンテナの保温方法によれば、カバー内側面とコンテナ側壁面との間隙に温度調整した蒸気を供給することにより、コンテナ内容物の品質変化をより低コストかつ簡便に防止できる。
【発明を実施するための最良の形態】
【００１１】
図１〜図６は本発明の一実施態様を示す。図１は産業コンテナの形状に沿ってシート材を形成してなる保温カバーで産業コンテナを被覆する作業の概念図である。また、図２は請求項１に係る産業コンテナ用保温カバーの外観図であり、開閉部がカバー側面に位置する例である。また、図３も請求項１に係る産業コンテナ用保温カバーの外観図であり、開閉部がカバー側面の縁部に位置する例である。また、図４は請求項２に係る産業コンテナ用保温カバーの外観図であり、保温手段の一例として電熱線をカバー内側面に備える例である。また、図５も請求項２に係る産業用コンテナカバーの外観図であり、保温手段の一例として保温材（冷却パックやカイロなど）をカバー内側面に備える例である。また、図６は請求項３に係る産業コンテナの保温方法の概念図であり、カバー内側面とコンテナ側壁面との間隙に水蒸気を供給する様子を示す。
【００１２】
請求項１に係る産業コンテナ用カバーは、シート材を産業コンテナの上面および側面を被覆できるように構成し、さらにその側部に下方に延びる仮想線に沿って切込み開閉部を設けてなるものである（図２、３参照）。ここにシート材は防水性・断熱性でフレキシブルなものであれば、特に制限されない。また、カバー形状は特に制限されず、産業コンテナと相似形であれば直方体状だけでなく円筒状であってもよい。また、側部とは側面部だけでなく（図２参照）カバー形状が直方体状の場合には側面の縁部（以下、側縁部という）（図３参照）を含む意である。また、下方に延びる仮想線としたのは切込み開閉部の下端が接合されていないこと示す意である。なお、切込み開閉部は一つ以上設けてもよい。例えばカバーが直方体状の場合にはその側縁部全てを切込み状にすることで（図３参照）着脱作業がかなり容易になる。また、切込み部は線・面ファスナーや紐等で掛合してもよく、特に面ファスナー（マジックテープ（登録商標）など）を用いれば（図２参照）請求項３に係る方法で産業コンテナを保温する際に蒸気漏れを効果的に防ぐことができ、エネルギーロスを最大限に抑えることができる。なお、面ファスナーを用いる場合には、切り込み部を多少重ねる必要がある。
【００１３】
請求項２に係る産業コンテナ用カバーは産業用コンテナが屋外に長期に亘り放置される場合を想定してカバー内側面に各種保温手段を設けた点に特徴がある（図４、５参照）。ここに各種保温手段としては、例えば電気的に加温・冷却できる手段（電熱線等）や（図４参照）、それ自体が熱を供給あるいは吸収する手段（電気毛布、カイロ、冷却パック等）（図５参照）などが挙げられる。また当該保温手段をカバー内側面に設けるとは、例えば電熱線を縫い付けたり、ポケットを設けてその中にカイロや保冷パックを入れるような行為をいう。
【００１４】
請求項３に係る産業コンテナの保温方法は、請求項２による保温手段がカバーのコスト高や重量増加を招くことを考慮したものであり、より低コストかつ簡易にコンテナ内容物を保温することを可能とする。具体的には、例えば図６に示すように本発明に係るカバー（請求項１または２）で産業コンテナを完全に被覆した後に、カバー内側面と産業コンテナとの間隙に水蒸気を供給し、産業コンテナを蒸気で包囲すればよい。産業コンテナ内容物が寒冷時に増粘するような樹脂の場合には、高い温度の水蒸気を供給することで樹脂を低粘度に保つことができ、取り出しが容易になる。なお、水蒸気を工場から流用すれば特に蒸気供給源を設ける必要が無いので、更にコストを低く抑えることができる。また、産業コンテナ内容物が反応性の高い重合性モノマーや熱で分解し易い薬剤のような場合には、コンテナ内容物よりも低い温度の水蒸気を供給することで、かかる危険やロスを回避できる。
【図面の簡単な説明】
【００１５】
【図１】切込み開閉部が無い従来の保温カバーによる産業コンテナの被覆作業の概念図
【図２】請求項１に係る産業コンテナ用保温カバーの外観図
【図３】請求項１に係る産業コンテナ用保温カバーの外観図
【図４】請求項２に係る産業コンテナ用保温カバーの外観図（保温手段として電熱線を例にとる）
【図５】請求項２に係る産業コンテナ用保温カバーの外観図（保温手段として冷却材を例にとる）
【図６】請求項３に係る産業コンテナの保温方法の概念図
【符号の説明】
【００１６】
１  産業コンテナ用カバー本体
２  切込み開閉部
３  電熱線
４  保温材
５  水蒸気導入管
６  水蒸気
７  水蒸気の流れ
【図１】
2006056571.tif 000002
【図２】
2006056571.tif 000003
【図３】
2006056571.tif 000004
【図４】
2006056571.tif 000005
【図５】
2006056571.tif 000006
【図６】
2006056571.tif 000007